(57)【要約】【課題】都市温暖化防止対策に対する装置を提供する。【解決手段】オフィスビル等の高層建築物１２の屋上に、雨水タンク９や貯水タンク１０の水８、或いは冷暖房機器のドレイン１１の水８を利用し、オフィスビル等の高層建築物１２の外壁の壁面に、複数の多孔質セラミックス版本体１に格子状の形態を成すフレーム２の側面部分に設けた、配水口６より水８を引き込み、熱吸収率の高いステンレス材やアルミ材等の材質で蛇行状に加工した毛細針金３へ水８が進入すると毛細管現象を引き起こし、オフィスビル等の高層建築を被う複数枚の多孔質セラミックス版本体１は水８で保水し冷却され、オフィスビル等の高層建築物１２は夏の直射日光や、アスファルトから発散される地熱等の熱害を受ける事が無くオフィスビル等の高層建築物１２による都市温暖化は、防止できる。【選択図】      図１
2004360349.tif 000002
【特許請求の範囲】
【請求項１】
オフィスビル等の高層建築物の外壁壁面に、複数枚の四角形で厚みは薄い形状を成す多孔質セラミックッス版本体裏面に、オフィスビル等の高層建築物の屋上に設置した雨水タンクに収集された雨水又は、貯水タンクに収集された水、或いは、冷暖房機器のドレインから排出される排水等の水を、当該合成樹脂管により引き込み、複数の多孔質セラミックス版本体を保持する当該格子状の形状を成すアルミ製のフレームの側面部分に設けた配水口へと接続、その当該フレームの側面部分に設けた配水口に、ステンレス製又はアルミ製等の熱吸収率が高い材質で、蛇行状に形状加工した毛細針金の先端を連結し毛細管現象を引き起こさせ、当該多孔質セラミックス版本体に水を吸収させ冷却しオフィスビル等の高層建築物にかかる夏の直射日光の熱を遮断する都市温暖化防止対策装置。
【請求項２】
前記多孔質セラミックス版本体の表面に二酸化チタンの粉末を塗膜し焼成することにより、二酸化チタンは太陽などの光を受け、触媒を行い、窒素を吸収し又、大気汚染である菌や二酸化窒素化合物等を含む光化学スモッグ等を分解する都市温暖化防止対策装置。
【発明の詳細な説明】
【０００１】
【発明の属する技術分野】
本発明は、都市温暖化防止対策に関するものであり、更に詳しくは、夏の直射日光や、アスファルトの地熱、光化学スモッグなどにより、オフィスビル等の高層建築物に掛かる熱害を軽減する事に関わるものである。
【０００２】
【従来の技術】
都市温暖化を減少する技術は、オフィスビル等の高層建築物の屋上やその外壁壁面に万年草等を植栽して、外部からの熱を万年草等の植物の茂みの冷暗空間を利用し熱をその空間により遮断、温暖化の減少を図っている。
【０００３】
【発明が解決しようとする課題】
従来の都市温暖化防止対策としての、万年草等の植栽は、定期的に水や肥料などを必要とし面倒でありランニングコストが掛かる。更に万年草等の植物を植栽した時点では株の大きさは一定で揃い美観さえあるが、植栽後の固体の生育状態や、陰陽や水分の吸収や養分の吸収の差により、固体の大小のバラつきや色あせが生じ、オフィスビル等の高層建築物の美観を損ねる。又、渇水ともなれば万年草等の植栽は枯れてしまう。
【０００４】
本発明は、従来の都市温暖化防止対策とした植栽におけるこのような問題を解決した新規な都市温暖化防止対策装置を提供する。
【０００５】
【課題を解決する為の手段】
上記課題を解決する為に、本発明は下記の都市温暖化防止対策装置を提供する。
【０００６】
（１）  オフィスビル等の高層建築物の屋上に、雨水タンクや貯水タンク或いは冷暖房機器のドレインより排出される水を利用し、外壁に、四角形で厚みは薄い形状を成す多孔体セラミックス版本体を保持する格子状フレームに設けた給水口に上述した水を当該合成樹脂管にて引き込み、多孔質セラミックス版本体の裏に、予め接着剤を塗膜したアルミ箔シートで貼り合わせた、ステンレス材やアルミ材等の熱吸収率の高い材質で、蛇行形状に加工した毛細針金により、毛細管現象を引き起こさせ多孔質セラミックス版本体に水を吸収保水させ太陽の直射日光や、アスファルトから高層建築物が受ける地熱等の熱を遮断、同時に、多孔質セラミックス版本体の裏に貼り付けたアルミ箔シートのアルミ箔により更に熱を断熱し、高層建築に対する熱害を遮断することを特徴とする都市温暖化防止対策装置（請求項１）
【０００７】
（２）前記、多孔質セラミックス版本体の表面に二酸化チタンの粉末を塗膜し焼成することで、表面の二酸化チタンは太陽などの光を受け触媒を行い、空気中に浮遊する菌等の微生物を除菌し、大気汚染の元である光化学スモックに含まれる一酸化窒素化合物を分解する。（請求項２）
【０００８】
【作用】
［請求項１の都市温暖化防止対策装置］
オフィスビル等の高層建築物の屋上に設けた雨水タンクや貯水タンクの水、或いは、冷暖房機器のドレインより排出された水等が、当該合成樹脂加工された管へ引き込まれ、多孔体セラミックス版本体を保持するフレームの側面部分に設けた、配水口より多孔体セラミックス版本体裏に熱吸収率が高く蛇行状の形状を成す毛細針金を連結する事により、水は、当該合成樹脂管を伝い、当該フレームの側面に設けた配水口に進入更に、蛇行形状に加工した毛細針金が毛細管現象を引き起こし、複数の多孔質セラミックス版本体の隅々に水は行き渡り吸収され保水し、結果、保水した複数枚の多孔体セラミックス版本体を取り付けたオフィスビル等の高層建築物は、直接熱を受けることが無く都市温暖化の影響を減少させる。又、多孔質セラミックス版本体も、水で冷却されるので、夏の太陽の直射日光や、アスファルトから受ける地熱等により、温度の上昇はない。
【０００９】
［請求項２の都市温暖化防止対策装置］
多孔質セラミックス版本体の表面に二酸化チタンの粉末を塗膜し、焼成する事により、太陽の光等を受けると触媒を行い、空気中に浮遊する菌等の微生物を死滅させ、更に大気汚染である光化学スモックに含まれる一酸化化合物を分解する。
【００１０】
【発明の実施の形態】
次に、本発明の実施の形態を添付図面に従って説明する。
符号１に示すものは、多孔質セラミックス版本体である。複数の多孔質セラミックス版本体１は、格子状の形状を成すアルミ製フレーム２によってオフィスビル等の高層建築物１２の壁面に保持されている。
【００１１】
アルミ箔を合成樹脂シートに貼り合わせ２層としたアルミ箔シート４の片面に接着剤を塗り、熱吸収率の高いステンレス材やアルミ材等で蛇行形状に加工した毛細針金３を、多孔質セラミックス版本体との間に挟み込み貼り付ける。
【００１２】
オフィスビル等の高層建築物１２の屋上に雨水タンク９や貯水タンク１０或いは冷暖房機器のドレイン１１より排水された水８は、合成樹脂管５に進入し、格子状の形状を成すアルミ製フレーム２の給水口６に接続され熱吸収率の高いステンレス材やアルミ材等の材質で蛇行形状に加工した毛細針金３に引き込められ、毛細管現象を引き起こし、多孔質セラミックス版本体１の隅々まで水は浸透し保水されオフィスビル等の高層建築物１２への熱を遮断する。
【００１３】
多孔質セラミックス版本体の表面１に、二酸化チタン７を塗膜し焼成する。
【００１４】
【発明の効果】
以上説明したように、本発明においては、飼育の手間や渇水したとき植物は枯れ果て、又、植物の生育状態の差により美観を損ねるような万年草等の植栽方式による都市温暖化防止対策ではなく、多孔質セラミックス版本体に水８を保水させ冷却、そして二酸化チタンによる光触媒で雑菌の除菌や大気汚染の原因である光化学スモックに含まれる一酸化窒素化合物を分解。水８で冷却し二酸化チタンで光触媒する相乗効果により、都市温暖化を防止する。
【００１５】
即ち本発明により、都市の景観を損ねず、オフィスビル等の高層建築物１２を熱から遮断することにある。
【図面の簡単な説明】
【図１】本発明による都市温暖化防止装置の一例を示す立面図である。
【図２】本発明による都市温暖化防止装置の一例を示す立面図である。
【符号の説明】
１    多孔質セラミックス版本体
２    アルミ製フレーム
３    蛇行状の形状を成す毛細針金
４    アルミ箔シート
５    合成樹脂管
６    配水口
７    二酸化チタン粉末
８    水
９    屋上に設けた雨水タンク
１０  屋上に設けた貯水タンク
１１  冷暖房機器のドレイン
１２  オフィスビル等の高層建築物
【図１】
2004360349.tif 000003
【図２】
2004360349.tif 000004